(57)【特許請求の範囲】
【請求項１】
音発生機能を搭載した機器本体と、
腕の外周および耳の周囲のいずれかに着脱可能に装着する弾性変形可能な合成樹脂製の装着部材と、
前記装着部材を前記耳の周囲に装着した状態で前記機器本体の裏面が前記耳に密着する閉じる方向と前記耳から離れる開く方向とに回動可能に前記機器本体を前記装着部材に連結する回動連結部と、
前記腕の外周に着脱可能に装着され、前記腕の外周に装着された前記装着部材に接離可能に密接して前記装着部材が着脱可能に取り付けられるバンド本体とを備え、
前記装着部材には、前記機器本体の左右におけるほぼ半分が嵌合して取り付けられる取付凹部が設けられており、前記バンド本体には、前記機器本体の左右における他のほぼ半分が嵌合する嵌合凹部が設けられていることを特徴とする携帯電子機器。
【請求項２】
音発生機能を搭載した機器本体と、
腕の外周および耳の周囲のいずれかに着脱可能に装着する弾性変形可能な合成樹脂製の装着部材と、
前記装着部材を前記耳の周囲に装着した状態で前記機器本体の裏面が前記耳に密着する閉じる方向と前記耳から離れる開く方向とに回動可能に前記機器本体を前記装着部材に連結する回動連結部と、
前記腕の外周に着脱可能に装着され、前記腕の外周に装着された前記装着部材に接離可能に密接して前記装着部材が着脱可能に取り付けられるバンド本体と、
このバンド本体に設けられたマイクロホンとを備え、
前記装着部材には、前記機器本体の左右におけるほぼ半分が嵌合して取り付けられる取付凹部が設けられており、前記バンド本体には、前記機器本体の左右における他のほぼ半分が嵌合する嵌合凹部が設けられていることを特徴とする携帯電子機器。
【請求項３】
前記バンド部材と前記装着部材との一方に設けられ、その他方に係脱可能に係合して前記バンド部材と前記装着部材とをロックするロック部材とを備えていることを特徴とする請求項１または２に記載の携帯電子機器。
【発明の詳細な説明】
【０００１】
【発明の属する技術分野】
この発明は、腕に装着して携帯する腕装着型の携帯電子機器に関する。
【０００２】
【従来の技術】
例えば、携帯電話機においては、小型化および多機能化が進み、衣類のポケットやハンドバックに簡単に収納して容易に携帯できるようになっている。
しかし、このような携帯電話機では、通話をするときに、ポケットやハンドバックから取り出す必要があるため、即座に通話ができないという不都合がある。
そこで、従来では、腕に装着して携帯することのできる腕装着型の携帯電話機が検討されている。この腕装着型の携帯電話機としては、電話機能を搭載した機器本体にバンドを取り付け、このバンドで機器本体を腕に装着して携帯するようにしたものがある。
【０００３】
【発明が解決しようとする課題】
しかしながら、このような腕装着型の携帯電話機では、腕に装着して携帯することができるので、着信時に速やかに通話をすることができるが、通話時に腕に装着された機器本体を使用者の口元や耳元に近づけた状態で、腕を固定しなければならないため、通話時に機器本体が装着された腕を自由に動かすことができないという不都合がある。
なお、このような携帯電話機では、腕からバンドを簡単に取り外せるように構成して、通話時に腕から機器本体を取り外して手に持ち、この状態で使用者の口元や耳元に近づけた状態で通話するものもあるが、このような構造では、通話時に機器本体を手に持った状態で通話しなければならないという不都合がある。
【０００４】
この発明の課題は、腕に装着して携帯することができると共に、通話時など音を聞くときに、機器本体を手に持ったり腕に装着したりせずに、簡単に耳に装着して音声などの音を聞くことができるようにすることである。
【０００５】
【課題を解決するための手段】
この発明は、上記課題を解決するために、次のような構成要素を備えている。
請求項１に記載の発明は、音発生機能を搭載した機器本体と、腕の外周および耳の周囲のいずれかに着脱可能に装着する弾性変形可能な合成樹脂製の装着部材と、前記装着部材を前記耳の周囲に装着した状態で前記機器本体の裏面が前記耳に密着する閉じる方向と前記耳から離れる開く方向とに回動可能に前記機器本体を前記装着部材に連結する回動連結部と、前記腕の外周に着脱可能に装着され、前記腕の外周に装着された前記装着部材に接離可能に密接して前記装着部材が着脱可能に取り付けられるバンド本体とを備え、前記装着部材には、前記機器本体の左右におけるほぼ半分が嵌合して取り付けられる取付凹部が設けられており、前記バンド本体には、前記機器本体の左右における他のほぼ半分が嵌合する嵌合凹部が設けられていることを特徴とする携帯電子機器である。
【０００６】
この請求項１に記載の発明によれば、装着部材が、弾性変形可能な合成樹脂からなり、腕の外周および耳の周囲のいずれかに着脱可能に装着するので、装着部材を腕の外周に装着することにより、回転連結部によって装着部材に取り付けられた機器本体を腕に取り付けて携帯することができ、また機器本体の音発生機能によって音を聞くときには、装着部材を機器本体と共に腕から取り外して耳の周囲に装着することにより、機器本体を手に持ったり腕に装着したりせずに、簡単に耳に装着して音を聞くことができる。この場合、装着部材を耳の周囲に装着するときには、機器本体の裏面が耳から離れる開く方向に機器本体を回動連結部により回動させることにより、機器本体が邪魔にならず、容易に装着部材を耳の周囲に装着することができ、この状態で機器本体の裏面が耳に密着する閉じる方向に機器本体を回動連結部により回動させることにより、機器本体を耳に密着させることができ、これにより良好に音を聞くことができる。また、腕の外周に着脱可能に装着され、腕の外周に装着された装着部材に接離可能に密接して装着部材が着脱可能に取り付けられるバンド本体を備えているので、バンド本体と装着部材とをそれぞれ腕に装着し、この装着部材をバンド本体に接近させて密接させた状態で着脱可能に取り付けることができ、これにより装着部材をバンド本体と共に腕に取り付けることができる。さらに、装着部材をバンド本体に接近させて密接させたときに、装着部材の取付凹部に機器本体の左右におけるほぼ半分を嵌合させて取り付けることができると共に、バンド本体の嵌合凹部に機器本体の左右における他のほぼ半分を嵌合させることができ、これにより腕時計と同じ形態にすることができるので、腕時計と同様、機器本体を腕に装着して良好に携帯することができる。
【０００７】
請求項２に記載の発明は、音発生機能を搭載した機器本体と、腕の外周および耳の周囲のいずれかに着脱可能に装着する弾性変形可能な合成樹脂製の装着部材と、前記装着部材を前記耳の周囲に装着した状態で前記機器本体の裏面が前記耳に密着する閉じる方向と前記耳から離れる開く方向とに回動可能に前記機器本体を前記装着部材に連結する回動連結部と、前記腕の外周に着脱可能に装着され、前記腕の外周に装着された前記装着部材に接離可能に密接して前記装着部材が着脱可能に取り付けられるバンド本体と、このバンド本体に設けられたマイクロホンとを備え、前記装着部材には、前記機器本体の左右におけるほぼ半分が嵌合して取り付けられる取付凹部が設けられており、前記バンド本体には、前記機器本体の左右における他のほぼ半分が嵌合する嵌合凹部が設けられていることを特徴とする携帯電子機器である。
この請求項２に記載の発明によれば、請求項１に記載の発明と同様の作用効果があるほか、バンド本体に設けられたマイクロホンを備えていることにより、機器本体とマイクロホンとを十分に離して通話することができ、これにより機器本体の音発生機能からの音をマイクロホンが拾ってしまう所謂ハウリングを防ぐことができる。
【０００８】
請求項３に記載の発明は、前記バンド部材と前記装着部材との一方に設けられ、その他方に係脱可能に係合して前記バンド部材と前記装着部材とをロックするロック部材とを備えていることを特徴とする請求項１または２に記載の携帯電子機器である。
この請求項３に記載の発明によれば、腕の外周に装着されたバンド部材と装着部材とをロック部材によって確実にロックすることができ、これにより携帯時に機器本体が腕から脱落することがなく、確実に機器本体を腕に固定させて携帯することができる。
【０００９】
【発明の実施の形態】
以下、図１〜図７を参照して、この発明の携帯電子機器を携帯電話機に適用した一実施形態について説明する。
図１はこの発明の携帯電話機の斜視図、図２は図１の携帯電話機において機器本体と装着部材とをバンド部材から分離させた状態を示した斜視図である。
この携帯電話機は、図１に示すように、腕時計型のものであり、音発生機能としての電話機能および時計機能を搭載した機器本体１と、この機器本体１が取り付けられる装着部材２と、腕に装着されて機器本体１および装着部材２が接離可能に連結されるバンド部材３とを備えている。
【００１０】
機器本体１は、図２に示すように、正面（同図では上方）から見てほぼ円形状で、且つ外周部における１時側付近と５時側付近とが少し外側に向けて突出した形状に形成されている。この機器本体１の正面中央部には、円形状の表示窓４が設けられている。また、この機器本体１の内部には、電話機能および時計機能に必要な各種の電子部品、例えば表示素子、スピーカ、マイクロホン、通信用部品、回路基板などの各種の部品が収納されているほか、この機器本体１には、電話機能および時計機能に必要な各種のキー釦（いずれも図示せず）が設けられている。
【００１１】
この場合、表示素子は、液晶表示素子やＥＬ素子（エレクトロルミネッセンス素子）などの平面型のものであり、着信メッセージや時刻などの各種の情報を電気光学的に表示するように構成され、機器本体１の表示窓４の内側に対応して配置されている。スピーカは、着信メロディや受信した音声などの音を発生するものであり、図４に示すように、機器本体１の裏面中央部に設けられた放音部５に対応して配置されている。マイクロホンは、音声などの音を電気信号に変換して出力するものであり、図３に示すように、機器本体１の正面における１時側付近の突出した部分に設けられた受音部６に対応して配置されている。また、キー釦は、機器本体１の正面における周囲に設けられていても良いが、表示窓４の表面に透明なタッチパネルを設け、このタッチパネルに設けられていることが望ましい。
【００１２】
装着部材２は、図６に示すように腕に装着する腕装着機能と、図７に示すように耳に掛ける耳掛け機能とを兼ね備えたものであり、図３に示すように、機器本体１が一対の回動連結軸７によって回動可能に取り付けられている。この場合、装着部材２は、ある程度弾性変形可能な合成樹脂によって腕と耳とに着脱可能に装着するほぼＣ字形状に形成され、その幅が通常の時計バンドのほぼ半分程度の幅で形成されている。すなわち、この装着部材２は、その下部の両端が所定間隔で離れており、この離れた両端部分をその弾性力に抗して押し広げることにより、図６に示すように、腕に着脱可能に装着され、且つほぼＣ字形状に形成されていることにより、図７に示すように、耳に掛けられるように構成されている。
【００１３】
また、この装着部材２の中間部分には、機器本体１が取り付けられる取付凹部８が形成されている。この取付凹部８は、機器本体１の１２時側から３時側を経て６時側に亘る外周部のほぼ半分が配置されるほぼ半円形の凹部状に形成されており、この取付凹部８の対向面、つまり１２時側付近と６時側付近とに位置する個所には、図３に示すように、それぞれ回動連結軸７が機器本体１に向けて突出して設けられている。これら回動連結軸７は、図４に示すように、その各先端部が互いに対向し、機器本体１の１時側付近と５時側付近との突出した部分にそれぞれ設けられた各軸受穴部９に、所定の保持力つまり機器本体１がその自重で勝手に回動しない程度の摩擦力をもって回動可能に挿入され、これにより機器本体１と装着部材２とを互いに接近して閉じる方向と互いに離れて開く方向とに回動可能に取り付けるように構成されている。
【００１４】
一方、バンド部材３は、図６に示すように、腕に着脱可能に装着するものであり、ある程度弾性変形可能な合成樹脂によって、図２に示すように、全体がほぼリング形状に形成され、その下部が分離され、この分離された両端部が連結金具１１で係脱可能に連結されるように構成されている。この場合、バンド部材３は、その幅が通常の時計バンドの幅のほぼ半分程度に形成されている。また、このバンド部材３の上部は、ほとんど弾性変形しないように、機器本体１とほぼ同じ厚みの肉厚で厚く形成されており、この肉厚の厚い上部の内周面には、機器本体１の１２時側から９時側を経て６時側に亘る外周部のほぼ半分が嵌脱可能に嵌合する嵌合凹部１０が形成されている。また、このバンド部材３の下部側は、容易に弾性変形して腕に装着させるために、肉厚が上部側の肉厚よりも十分に薄く形成されており、連結金具１１は、図１および図２に示すように、バンド部材３の下部における分離された両端部を係脱可能に連結するように構成されている。
【００１５】
また、このバンド部材３の前後両側における各上部、つまり１２時側付近と６時側付近とに位置する各側面の上部には、バンド部材３と装着部材２とを相互に連結してロックする一対のロック部材１２が設けられている。このロック部材１２は、図５（ａ）および図５（ｂ）に示すように、操作釦部１３、ロック爪１４、およびばね部材１５を備えている。操作釦部１３は、バンド部材３の操作凹部１６内にばね部材１５を介して出没方向（同図では上下方向）に移動可能に配置され、この状態でばね部材１５のばね力によって操作凹部１６内から押し出される方向（同図では下方）に付勢されている。ロック爪１４は、図５（ａ）および図５（ｂ）に示すように、操作釦部１３に一体的に設けられ、バンド部材３の操作凹部１６に連続するガイド穴１７内に操作釦部１３の出没方向と同じ方向（同図では上下方向）に移動可能に配置されている。
【００１６】
この場合、ロック爪１４は、図５（ａ）および図５（ｂ）に示すように、ガイド穴１７内で直角に折り曲げられ、その先端部がガイド穴１７内から装着部材２の側面に向けて突出し、この突出した部分にフック部１８が設けられている。このフック部１８は、装着部材２の側面に設けられた係合凹部１９内に挿脱可能に挿入し、係合凹部１９内に設けられた係合突起２０に係脱可能に係合するように構成されている。この場合、フック部１８は、装着部材２の係合凹部１９の奥側（同図では右側）に位置する個所が傾斜面に形成されており、また係合凹部１９の係合突起２０は、バンド部材３側に位置する部分がフック部１８の傾斜面と平行な傾斜面に形成されている。なお、バンド部材３に設けられたガイド穴１７は、図５（ａ）に示すように、バンド部材３と装着部材２との各側面が互いに密接したときに、装着部材２の側面に設けられた係合凹部１９に対応して連続するように構成されている。
【００１７】
このようなロック部材１２では、バンド部材３と装着部材２とを腕に装着した状態で、機器本体１と装着部材２とをバンド部材３に向けて接近させ、図１に示すように、機器本体１の９時側の外周部のほぼ半分をバンド部材３の嵌合凹部１０に嵌合させると共に、装着部材２をバンド部材３に密着させると、図５（ａ）に示すように、ロック爪１４のフック部１８が係合凹部１９内に挿入し、このフック部１８がばね部材１５のばね力に抗して係合突起２０を乗り越えた後、ばね部材１５のばね力によって係合突起２０に係合し、これによりバンド部材３と装着部材２とをロックする。また、このロック部材１２では、操作釦部１３がばね部材１５のばね力に抗して押圧操作されると、図５（ｂ）に示すように、ロック爪１４がガイド穴１７内を押圧方向（同図では上方）に向けて移動し、これに伴ってフック部１８も同方向に移動して装着部材２の係合凹部１９内の係合突起２０から離脱し、これによりバンド部材３と装着部材２とのロックを解除する。
【００１８】
次に、このような腕時計型の携帯電話機の作用について説明する。
この携帯電話機を携帯する場合には、図６に示すように、まず、バンド部材３を腕に取り付ける。このときには、バンド部材３の下部の分離された両端部を押し広げて腕に装着し、この状態で分離された両端部を連結金具１１で連結する。これにより、バンド部材３が腕に取り付けられる。この状態で、機器本体１が取り付けられた装着部材２を腕に装着する。このときには、装着部材２がほぼＣ字形状に形成され、その下部の両端が所定間隔で離れているので、この離れた両端部分をその弾性力に抗して押し広げることにより、図６に示すように、装着部材２を腕に装着することができる。
【００１９】
この状態で、機器本体１と装着部材２とをバンド部材３に向けて移動させ、機器本体１の９時側に位置する外周部のほぼ半分をバンド部材３の嵌合凹部１０に嵌合させると共に、装着部材２の側面をバンド部材３の側面に密着させる。すると、装着部材２およびバンド部材３の各幅が通常の時計バンドのほぼ半分の幅であるから、装着部材２とバンド部材３とが互いに密着すると、通常の時計バンドとほぼ同じ幅になるので、通常の腕時計と同じ形態になり、これにより携帯電話機を腕時計と同様に携帯することができる。このときには、図５（ａ）に示すように、バンド部材３のガイド穴１７と装着部材２の係合凹部１９とが互いに対応するので、ロック部材１２によってバンド部材３と装着部材２とを自動的にロックすることができる。
【００２０】
すなわち、ロック部材１２のロック爪１４がバンド部材３のガイド穴１７から突出しており、この突出したフック部１８が装着部材２の係合凹部１９内に挿入して、フック部１８の傾斜面と係合突起２０の傾斜面とが互いに当接するので、フック部１８と係合突起２０とが各傾斜面に沿って相対的にスライドする。これにより、フック部１８がばね部材１５のばね力に抗して係合突起２０を乗り越える。すると、ばね部材１５の復帰力によってフック部１８が係合突起２０に係合し、これによりバンド部材３と装着部材２とが自動的にロックされる。このため、バンド部材３によって装着部材２を確実に腕に取り付けることができ、腕時計と同様、機器本体１を腕に確実に固定させて良好に携帯することができる。この状態では、キー釦を操作して時計モードに設定しておくことにより、表示窓４を通して表示素子に表示された時刻などの情報を見ることができる。
【００２１】
また、この携帯電話機で通話をする場合には、まず、図６に示すように、バンド部材３から装着部材２を離脱させる。このときには、図５（ｂ）に示すように、バンド部材３に設けられた一対のロック部材１２の各操作釦部１３をばね部材１５のばね力に抗して押圧する。すると、操作釦部１３によってロック爪１４が押されてガイド穴１７内を機器本体１側（同図では上側）に向けて移動するので、フック部１８が係合凹部１９の係合突起２０から離脱し、ロック部材１２によるバンド部材３と装着部材２とのロックが解除される。この状態で、機器本体１と装着部材２とをバンド部材３から離れる方向に向けて移動させると、図６に示すように、バンド部材３から機器本体１と装着部材２とが分離され、これにより装着部材２を機器本体１と共に腕から取り外すことができる。
【００２２】
このように、機器本体１および装着部材２を腕から取り外した場合には、機器本体１の３時側に位置する外周部のほぼ半分が装着部材２の取付凹部８に配置された状態で、機器本体１が装着部材２に対して直交した状態、つまり装着部材２に対して機器本体１がほぼ９０°に開いた状態であるから、機器本体１が邪魔にならずに、装着部材２を耳に掛けることができ、これにより機器本体１を耳に装着することができる。このときには、機器本体１が装着部材２に対し直交しているので、機器本体１が耳に対して直交した状態で装着されることになる。このため、機器本体１を装着部材２に対し回動連結軸７を中心に閉じる方向に回動させることにより、図７に示すように、機器本体１の裏面を耳に密着させることができる。これにより、機器本体１の裏面に設けられた放音部５を耳孔に対応させることができるので、通話相手の音声を良好に聞くことができる。
【００２３】
このように、この携帯電話機によれば、機器本体１が取り付けられた装着部材２が耳掛け機能と腕装着機能とを兼ね備えているので、装着部材２を腕に装着することにより機器本体１を腕に取り付けて携帯することができ、また装着部材２を耳に掛けることにより、機器本体１を手に持ったり腕に装着したりせずに、簡単に耳に装着して通話することができる。この場合、装着部材２と機器本体１とが回動連結軸７によって回動可能に取り付けられているので、機器本体１を耳に掛けるときに、機器本体１を装着部材２に対し相対的に回動させて開くことにより、機器本体１が邪魔にならず、容易に装着部材２を耳に掛けることができると共に、機器本体１を装着部材２に対し相対的に閉じる方向に回動させて機器本体１を耳に密着させることができ、これにより良好に通話することができる。
【００２４】
また、この携帯電話機では、腕に着脱自在に装着するバンド部材３に、機器本体１の外周部のほぼ半分が着脱可能に嵌合する嵌合凹部１０が設けられ、バンド部材３の側面に装着部材２の側面が密接することにより、腕にバンド部材３と装着部材２とをそれぞれ装着した状態で、機器本体１の外周部のほぼ半分をバンド部材３の嵌合凹部１０に嵌合させると共に、装着部材２の側面をバンド部材３の側面に密接させると、腕時計と同じ形態になり、これにより腕時計と同様、機器本体１を腕に装着して良好に携帯することができる。特に、腕に装着されたバンド部材３と装着部材２とをロック部材１２によって確実にロックすることができるので、携帯時に機器本体１が腕から脱落することなく、確実に機器本体１を腕に固定させて携帯することができる。
【００２５】
なお、上記実施形態では、バンド部材３にロック部材１２を設けた場合について述べたが、これに限らず、装着部材２にロック部材１２を設けても良い。この場合には、装着部材２に操作凹部１６およびガイド穴１７を設け、且つバンド部材３に係合凹部１９および係合突起２０を設け、装着部材２の操作凹部１６内にばね部材１５を介して操作釦部１３を配置し、この操作凹部１６に連続するガイド穴１７内にロック爪１４を配置し、このロック爪１４のフック部１８をバンド部材３の係合凹部１９内に挿脱可能に挿入させて係合凹部１９の係合突起２０に係脱可能に係合させるように構成すれば良い。このような構造でも、上述した実施形態と同様の作用効果がある。
【００２６】
また、上記実施形態では、スピーカおよびマイクロホンを機器本体１に設けた場合について述べたが、必ずしもマイクロホンを機器本体１に設ける必要はなく、バンド部材３に設けても良い。この場合には、機器本体１とバンド部材３との両方に近距離無線規格の送受信部をそれぞれ設け、マイクロホンで取り込んだ音声データを機器本体１に送信し、この送信された音声データを機器本体から通話相手に送信するように構成すれば良い。このように構成すれば、機器本体１をコンパクトに構成することができると共に、スピーカとマイクロホンとを十分に離して通話することができるので、スピーカからの音をマイクロホンが拾ってしまう、所謂ハウリングを防ぐことができる。
【００２７】
さらに、上記実施形態では、音発生機能として、電話機能および時計機能を機器本体１に搭載した携帯電話機に適用した場合について述べたが、これに限らず、スピーカ、マイクロホン、記憶素子などの電子部品を備えた録音再生機能、または再生のみを行う音響機能など、他の音発生機能を搭載して音楽などの音を聴取できるようにした携帯録音再生機器や携帯音響機器などの携帯電子機器に広く適用することができる。
【００２８】
【発明の効果】
以上説明したように、この発明によれば、音発生機能を搭載した機器本体と、腕の外周および耳の周囲のいずれかに着脱可能に装着する弾性変形可能な合成樹脂製の装着部材と、装着部材を耳の周囲に装着した状態で機器本体の裏面が耳に密着する閉じる方向と耳から離れる開く方向とに回動可能に機器本体を装着部材に連結する回動連結部とを備えているので、装着部材を腕の外周に装着することにより、回転連結部によって装着部材に取り付けられた機器本体を腕に取り付けて携帯することができる。また、機器本体の音発生機能によって音を聞くときには、装着部材を機器本体と共に腕から取り外して耳の周囲に装着することにより、機器本体を手に持ったり腕に装着したりせずに、簡単に耳に装着して音を聞くことができる。この場合、装着部材を耳の周囲に装着するときには、機器本体の裏面が耳から離れる開く方向に機器本体を回動連結部により回動させることにより、機器本体が邪魔にならず、容易に装着部材を耳の周囲に装着することができ、この状態で機器本体の裏面が耳に密着する閉じる方向に機器本体を回動連結部により回動させることにより、機器本体を耳に密着させることができ、これにより良好に音を聞くことができる。
【００２９】
また、腕の外周に着脱可能に装着され、腕の外周に装着された装着部材に接離可能に密接して装着部材が着脱可能に取り付けられるバンド本体とを備えていることにより、バンド本体と装着部材とをそれぞれ腕に装着し、この装着部材をバンド本体に接近させて密接させた状態で着脱可能に取り付けることができるので、装着部材をバンド本体と共に腕に取り付けることができる。また、バンド本体に設けられたマイクロホンを備えていることにより、機器本体とマイクロホンとを十分に離して通話することができ、これにより機器本体の音発生機能からの音をマイクロホンが拾ってしまう所謂ハウリングを防ぐことができる。また、装着部材には機器本体の左右におけるほぼ半分が嵌合して取り付けられる取付凹部が設けられ、バンド本体には機器本体の左右における他のほぼ半分が嵌合する嵌合凹部が設けられていることにより、装着部材をバンド本体に接近させて密接させたときに、装着部材の取付凹部に機器本体の左右におけるほぼ半分を嵌合させて取り付けることができると共に、バンド本体の嵌合凹部に機器本体の左右における他のほぼ半分を嵌合させることができ、これにより腕時計と同じ形態にすることができるので、腕時計と同様、機器本体を腕に装着して良好に携帯することができる。さらに、バンド部材と装着部材との一方に設けられ、その他方に係脱可能に係合してバンド部材と装着部材とをロックするロック部材とを備えているので、腕の外周に装着されたバンド部材と装着部材とをロック部材によって確実にロックすることができ、これにより携帯時に機器本体が腕から脱落することがなく、確実に機器本体を腕に固定させて携帯することができる。
【図面の簡単な説明】
【図１】この発明の携帯電子機器を携帯電話機に適用した一実施形態を示した斜視図。
【図２】図１の携帯電話機において機器本体と装着部材とをバンド部材から分離させた状態を示した斜視図。
【図３】図２の機器本体と装着部材を腕から取り外して機器本体を装着部材に対し閉じる方向に回動させた状態を示した斜視図。
【図４】図２のＡ−Ａ矢視における要部を破断した拡大断面図。
【図５】図１のＢ−Ｂ矢視における拡大断面図。
【図６】図１の携帯電話機を腕に取り付ける状態を示した斜視図。
【図７】図６の機器本体と装着部材とを腕から取り外して耳に装着させた状態を示した図。
【符号の説明】
１  機器本体
２  装着部材
３  バンド部材
４  表示窓
５  放音部
６  受音部
７  回動連結軸
８  取付凹部
９  軸受穴部
１０  嵌合凹部
１１  連結金具
１２  ロック部材
【図１】
0003915581.tif 000002
【図２】
0003915581.tif 000003
【図３】
0003915581.tif 000004
【図４】
0003915581.tif 000005
【図５】
0003915581.tif 000006
【図６】
0003915581.tif 000007
【図７】
0003915581.tif 000008